(57)【要約】【課題】アクセスポイント装置同士の通信を容易に確立するための無線ＬＡＮのための無線通信装置等を提供する。【解決手段】無線ＬＡＮのＳＳＩＤ文字列に所定のネットワーク識別情報とアクセスポイント装置識別情報を含めることで、スキャンにより作成されるＳＳＩＤリストから所望のアクセスポイント装置を検出し、接続に必要な情報を取得することが可能となる。その情報をアクセスポイント装置間無線通信リストに登録することで、接続設定を手入力で行うことなくアクセスポイント装置間無線通信の接続を確立することができる。【選択図】図３
2013066175.tif 000002
【特許請求の範囲】
【請求項１】
無線ＬＡＮ用中継器の機能を有する複数のアクセスポイント装置間で無線通信を行う無線ＬＡＮのための無線通信装置において、
前記無線ＬＡＮに属することを示す所定のネットワーク識別情報を記憶するネットワーク識別情報記憶手段と、
アクセスポイント装置固有の情報からアクセスポイント装置識別情報を生成するアクセスポイント装置情報生成手段と、
前記ネットワーク識別情報とアクセスポイント装置識別情報とを含むＳＳＩＤを生成するＳＳＩＤ生成手段と、
プローブ要求信号を受信して、前記プローブ要求信号に応答して、前記ＳＳＩＤを含むプローブ応答信号を送信する無線送受信部と、
を備えることを特徴とする無線通信装置。
【請求項２】
無線ＬＡＮ用中継器の機能を有する複数のアクセスポイント装置間で無線通信を行う無線ＬＡＮのための無線通信装置において、
前記無線ＬＡＮに属することを示す所定のネットワーク識別情報を記憶するネットワーク識別情報記憶手段と、
アクセスポイント装置固有の情報からアクセスポイント装置識別情報を生成するアクセスポイント装置情報生成手段と、
前記ネットワーク識別情報とアクセスポイント装置識別情報とを含むＳＳＩＤを生成するＳＳＩＤ生成手段と、
プローブ要求信号を送信し、前記プローブ要求信号に対するプローブ応答信号を受信する無線送受信部と、
前記受信したプローブ応答信号から前記ネットワーク識別情報を検出するネットワーク識別情報検出手段と、
前記受信したプローブ応答信号から送信元のＭＡＣアドレスを検出するＭＡＣアドレス検出手段と、
前記プローブ応答信号の送信元である無線通信装置と無線通信接続を確立する接続確立手段と、
を備えることを特徴とする無線通信装置。
【請求項３】
無線ＬＡＮ用中継器の機能を有する複数のアクセスポイント装置間で無線通信を行う無線ＬＡＮのための無線通信装置において、
前記無線ＬＡＮに属することを示す所定のネットワーク識別情報を記憶するネットワーク識別情報記憶手段と、
アクセスポイント装置固有の情報からアクセスポイント装置識別情報を生成するアクセスポイント装置情報生成手段と、
前記ネットワーク識別情報とアクセスポイント装置識別情報とを含むＳＳＩＤを生成するＳＳＩＤ生成手段と、
プローブ要求信号を受信して、前記プローブ要求信号に応答して、前記ＳＳＩＤを含むプローブ応答信号を送信するとともに、プローブ要求信号を送信し、前記プローブ要求信号に対するプローブ応答信号を受信する無線送受信部と、
前記受信したプローブ応答信号から前記ネットワーク識別情報を検出するネットワーク識別情報検出手段と、
前記受信したプローブ応答信号から送信元のＭＡＣアドレスを検出するＭＡＣアドレス検出手段と、
前記プローブ応答信号の送信元である無線通信装置と無線通信接続を確立する接続確立手段と、
を備えることを特徴とする無線通信装置。
【請求項４】
前記アクセスポイント装置固有の情報は、前記アクセスポイント装置に付与されているＭＡＣアドレスであることを特徴とする請求項１から３までのうちのいずれか１つに記載の無線通信装置。
【請求項５】
前記ＳＳＩＤは、前記ネットワーク識別情報と、前記アクセスポイント装置識別情報と、所定のパリティとを含むことを特徴とする請求項１から３までのうちのいずれか１つに記載の無線通信装置。
【請求項６】
前記アクセスポイント装置固有の情報は、前記アクセスポイント装置に付与されているＭＡＣアドレスであることを特徴とする請求項１から３までのうちのいずれか１つに記載の無線通信装置。
【請求項７】
受信された画像データの画像を拡大して投射する光学プロジェクタ部を備えるプロジェクタ装置において、
請求項１から３までのうちのいずれか１つに記載の無線通信装置を備えることを特徴とするプロジェクタ装置。
【請求項８】
請求項１から３までのうちのいずれか１つに記載の無線通信装置を複数備えることを特徴とする無線通信システム。
【請求項９】
無線ＬＡＮ用中継器の機能を有する複数のアクセスポイント装置間で無線通信を行う無線ＬＡＮのための無線通信方法において、
前記無線ＬＡＮに属することを示す所定のネットワーク識別情報を記憶装置に記憶するステップと、
アクセスポイント装置固有の情報からアクセスポイント装置識別情報を生成するステップと
前記ネットワーク識別情報とアクセスポイント装置識別情報とを含むＳＳＩＤを生成するステップと、
プローブ要求信号を受信して、前記プローブ要求信号に応答して、前記ＳＳＩＤを含むプローブ応答信号を送信するステップと、
を含むことを特徴とする無線通信方法。
【請求項１０】
無線ＬＡＮ用中継器の機能を有する複数のアクセスポイント装置間で無線通信を行う無線ＬＡＮのための無線通信方法において、
前記無線ＬＡＮに属することを示す所定のネットワーク識別情報を記憶装置に記憶するステップと、
アクセスポイント装置固有の情報からアクセスポイント装置識別情報を生成するステップと、
前記ネットワーク識別情報とアクセスポイント装置識別情報とを含むＳＳＩＤを生成するステップと、
プローブ要求信号を送信し、前記プローブ要求信号に対するプローブ応答信号を受信するステップと、
前記受信したプローブ応答信号から前記ネットワーク識別情報を検出するステップと、
前記受信したプローブ応答信号から送信元のＭＡＣアドレスを検出するステップと、
前記プローブ応答信号の送信元である無線通信装置と無線通信接続を確立するステップと、
を含むことを特徴とする無線通信方法。
【請求項１１】
無線ＬＡＮ用中継器の機能を有する複数のアクセスポイント装置間で無線通信を行う無線ＬＡＮのための無線通信方法において、
前記無線ＬＡＮに属することを示す所定のネットワーク識別情報を記憶するステップと、
アクセスポイント装置固有の情報からアクセスポイント装置識別情報を生成するステップと、
前記ネットワーク識別情報とアクセスポイント装置識別情報とを含むＳＳＩＤを生成するステップと、
プローブ要求信号を受信して、前記プローブ要求信号に応答して、前記ＳＳＩＤを含むプローブ応答信号を送信するとともに、プローブ要求信号を送信し、前記プローブ要求信号に対するプローブ応答信号を受信するステップと、
前記受信したプローブ応答信号から前記ネットワーク識別情報を検出するステップと、
前記受信したプローブ応答信号から送信元のＭＡＣアドレスを検出するステップと、
前記プローブ応答信号の送信元である無線通信装置と無線通信接続を確立するステップと、
を含むことを特徴とする無線通信方法。
【発明の詳細な説明】
【技術分野】
【０００１】
本開示は、無線ＬＡＮのための無線通信装置、プロジェクタ装置、無線通信システム及び無線通信方法に関し、特に、無線ＬＡＮのアクセスポイント装置間無線通信の技術に関する。
【背景技術】
【０００２】
近年、ＩＥＥＥ８０２．１１規格準拠の無線ＬＡＮ（Ｌｏｃａｌ  Ａｒｅａ  Ｎｅｔｗｏｒｋ）が普及している。無線ＬＡＮは、そのアクセスポイント装置（ＡＰ：Ａｃｃｅｓｓ  Ｐｏｉｎｔ）と無線端末装置（ＳＴＡ：ＳＴＡｔｉｏｎ）から構成され、各無線端末装置はインフラストラクチャモードでアクセスポイント装置と接続される。各アクセスポイント装置が構成するネットワークはＳＳＩＤ（Ｓｅｒｖｉｃｅ  Ｓｅｔ  Ｉｄｅｎｔｉｆｉｅｒ）により識別される。また、無線ＬＡＮの範囲を拡大させるために、アクセスポイント装置を無線通信用の中継装置として動作させ、複数のアクセスポイント装置間で無線通信を行う方法がある（例えば、特許文献１参照）。このとき、ＳＳＩＤは拡大された無線ＬＡＮで共通になるように設定する場合と、異なるように設定する場合とがある。
【０００３】
アクセスポイント装置間無線通信のために、ユーザーは通信相手のアクセスポイント装置のＭＡＣ（Ｍｅｄｉａ  Ａｃｃｅｓｓ  Ｃｏｎｔｒｏｌ）アドレスを登録し、両方のアクセスポイント装置に共通のセキュリティ（暗号化方式及び暗号鍵）を登録する。また、無線ＬＡＮ接続設定のうち、暗号化方式と暗号鍵については自動化された方法がある（例えば、特許文献２参照）。しかし、この方法においても通信相手のＭＡＣアドレスは登録する必要がある。すなわち、ユーザーはそれぞれのアクセスポイント装置毎に無線ＬＡＮ接続設定を手入力で行う。
【０００４】
以下、従来技術に係るアクセスポイント装置間無線通信を確立するための接続方法について、図２２を用いて説明する。図２２は従来技術に係る無線ＬＡＮ接続方法における無線ＬＡＮアクセスポイント装置間の無線通信接続処理を示すフローチャートである。
【０００５】
まず、ユーザーは無線ＬＡＮ接続設定を行う。すなわち、図２２のステップＳ１０１において、ユーザーは通信相手のＭＡＣアドレスを入力装置により入力し、要求側アクセスポイント装置はそのＭＡＣアドレスを登録する。
【０００６】
ステップＳ１０２において、自己のＭＡＣアドレスを送信元アドレスとしたプローブ要求フレームを送信する。ステップＳ１１２において、応答側アクセスポイント装置はプローブ要求フレームを受信し、送信元のＭＡＣアドレスを検出する。ステップＳ１１３において、応答側アクセスポイント装置は要求側アクセスポイント装置のＭＡＣアドレスを宛先アドレスとし、応答側アクセスポイント装置のＭＡＣアドレスを送信元アドレスとしたプローブ応答フレームを送信する。
【０００７】
ステップＳ１０３において、要求側アクセスポイント装置は応答側アクセスポイント装置のＭＡＣアドレスを検出する。次に、ステップＳ１０４において、要求側アクセスポイント装置は検出されたＭＡＣアドレスが登録済みのＭＡＣアドレスと同じか否かを照合する。検出されたＭＡＣアドレスが登録済みのＭＡＣアドレスであると判定されたなら、セキュリティが確保されたアクセスポイント装置間の無線通信接続が確立される（ステップＳ１０５）。
【０００８】
各アクセスポイント装置はそれぞれ前記のプローブ要求の処理を行うことにより、登録されていたアクセスポイント装置との無線通信接続を確立させる。
【先行技術文献】
【特許文献】
【０００９】
【特許文献１】特開２００６−１８６５２６号公報
【特許文献２】特開２００６−０５０３７２号公報
【発明の概要】
【発明が解決しようとする課題】
【００１０】
上述のように、アクセスポイント装置間の無線通信接続を確立させるためには、ユーザーがそれぞれのアクセスポイント装置毎に無線ＬＡＮ接続設定を手入力で行う必要があった。すなわち、ユーザーはそれぞれのアクセスポイント装置毎に、ＭＡＣアドレス、暗号化方式及び暗号鍵を手入力する。しかしながら、通信を行うすべてのアクセスポイント装置に対して、前記情報の入力を手入力にて行う操作は非常に煩雑な作業であった。
【００１１】
本開示の目的は以上の問題点を解決し、従来技術に比較して、無線ＬＡＮアクセスポイント装置間無線通信の接続を容易に確立することができる無線通信装置、プロジェクタ装置、無線通信システム及び無線通信方法を提供することにある。
【課題を解決するための手段】
【００１２】
本開示の無線通信装置は、無線ＬＡＮ用中継器の機能を有する複数のアクセスポイント装置間で無線通信を行う無線ＬＡＮのための無線通信装置において、
前記無線ＬＡＮに属することを示す所定のネットワーク識別情報を記憶するネットワーク識別情報記憶手段と、
アクセスポイント装置固有の情報からアクセスポイント装置識別情報を生成するアクセスポイント装置情報生成手段と、
前記ネットワーク識別情報とアクセスポイント装置識別情報とを含むＳＳＩＤを生成するＳＳＩＤ生成手段と、
プローブ要求信号を受信して、前記プローブ要求信号に応答して、前記ＳＳＩＤを含むプローブ応答信号を送信するとともに、プローブ要求信号を送信し、前記プローブ要求信号に対するプローブ応答信号を受信する無線送受信部と、
前記受信したプローブ応答信号から前記ネットワーク識別情報を検出するネットワーク識別情報検出手段と、
前記受信したプローブ応答信号から送信元のＭＡＣアドレスを検出するＭＡＣアドレス検出手段と、
前記プローブ応答信号の送信元である無線通信装置と無線通信接続を確立する接続確立手段と、
を備えることを特徴とする。
【発明の効果】
【００１３】
本開示に係る無線通信装置によれば、無線ＬＡＮ接続設定を自動化しつつ、当該無線ＬＡＮシステムに属さないアクセスポイント装置が存在するような環境においても、当該アクセスポイント装置のみを抽出して無線通信接続を確立するので、無線ＬＡＮ接続設定を手入力で行わなくてよく、無線ＬＡＮ接続設定を容易にすることが可能になる。
【図面の簡単な説明】
【００１４】
【図１】実施の形態１に係る無線ＬＡＮシステムの構成を示す斜視図である。
【図２】図１のアクセスポイント装置１０（１０１，１０２，１０３）の構成を示すブロック図である。
【図３】図１のアクセスポイント装置１０１，１０２，１０３間の無線通信接続処理を示すフローチャートである。
【図４】図３のサブルーチンであるＳＳＩＤ生成処理（ステップＳ１１）を示すフローチャートである。
【図５】無線ＬＡＮシステムにおいて無線通信接続を確立するためにアクセスポイント装置間で通信されるＩＥＥＥ８０２．１１に準拠したプローブ要求のＭＡＣフレームの構成を示す構成図である。
【図６】無線ＬＡＮシステムにおいて無線通信接続を確立するためにアクセスポイント装置間で通信されるＩＥＥＥ８０２．１１に準拠したプローブ応答のＭＡＣフレームの構成を示す構成図である。
【図７Ａ】図１のアクセスポイント装置１０１のＳＳＩＤリスト３１の一例を示す表である。
【図７Ｂ】図１のアクセスポイント装置１０２のＳＳＩＤリスト３１の一例を示す表である。
【図７Ｃ】図１のアクセスポイント装置１０３のＳＳＩＤリスト３１の一例を示す表である。
【図８Ａ】図１のアクセスポイント装置１０１に格納されたアクセスポイント装置間無線通信リストの一例を示す表である。
【図８Ｂ】図１のアクセスポイント装置１０２に格納されたアクセスポイント装置間無線通信リストの一例を示す表である。
【図８Ｃ】図１のアクセスポイント装置１０３に格納されたアクセスポイント装置間無線通信リストの一例を示す表である。
【図９】実施の形態１及び２に係る無線端末装置２の構成を示すブロック図である。
【図１０】図９の無線端末装置２により実行される無線通信接続処理を示すフローチャートである。
【図１１】図９の無線端末装置２のＳＳＩＤリスト３１の一例を示す表である。
【図１２】図９の無線端末装置２のアクセスポイント装置リスト３３の一例を示す表である。
【図１３】実施の形態２に係る無線ＬＡＮシステムの構成を示す斜視図である。
【図１４】図１３の無線ＬＡＮアクセスポイント装置を搭載したプロジェクタ装置１（１ａ，１ｂ）の構成を示すブロック図である。
【図１５】図１４のプロジェクタ装置１により実行されるアクセスポイント装置間の無線通信接続処理を示すフローチャートである。
【図１６Ａ】図１４のプロジェクタ装置１ａのＳＳＩＤリストの一例を示す表である。
【図１６Ｂ】図１４のプロジェクタ装置１ｂのＳＳＩＤリストの一例を示す表である。
【図１７Ａ】図１４のプロジェクタ装置１ａのアクセスポイント装置間無線通信リスト３２の一例を示す表である。
【図１７Ｂ】図１４のプロジェクタ装置１ｂのアクセスポイント装置間無線通信リスト３２の一例を示す表である。
【図１８】図１３の無線端末装置２により実行される無線通信接続処理を示すフローチャートである。
【図１９】図１３の無線端末装置２のＳＳＩＤリスト３１の一例を示す表である。
【図２０】図１３の無線端末装置２のプロジェクタ装置リスト３４の一例を示す表である。
【図２１】図１３の無線端末装置２のディスプレイ２５４に表示されるプロジェクタ装置選択画面の一例を示す正面図である。
【図２２】従来技術に係るアクセスポイント装置間無線通信の接続処理のフローチャートである。
【発明を実施するための形態】
【００１５】
以下、各実施形態について図面を参照して説明する。なお、以下の各実施形態において、同様の構成要素については同一の符号を付している。
【００１６】
（実施の形態１）
図１は実施の形態１に係る無線ＬＡＮシステムの構成を示す斜視図である。図１において、無線ＬＡＮシステムは、４個のアクセスポイント装置１０１，１０２，１０３，１０４と、無線端末装置２とを備えて構成される。ここで、アクセスポイント装置１０１、１０２及び１０３は本実施の形態に係る無線ＬＡＮ接続を行うアクセスポイント装置であり、アクセスポイント装置間無線通信で接続され、無線ネットワークである無線ＬＡＮを構成する。アクセスポイント装置１０４は従来技術に係る構成を有するアクセスポイント装置である。無線端末装置２はアクセスポイント装置１０１とインフラストラクチャモードで接続され、無線ＬＡＮに接続される。
【００１７】
図２は図１のアクセスポイント装置１０１，１０２，１０３（総称して、符号１０を付す。）の構成を示すブロック図である。図２において、本実施の形態に係るアクセスポイント装置１０は、ＣＰＵ（Ｃｅｎｔｒａｌ  Ｐｒｏｃｅｓｓｉｎｇ  Ｕｎｉｔ）１５１、ＲＡＭ（Ｒａｎｄｏｍ  Ａｃｃｅｓｓ  Ｍｅｍｏｒｙ）１５２及びＲＯＭ（Ｒｅａｄ  Ｏｎｌｙ  Ｍｅｍｏｒｙ）１５３から構成されるネットワーク制御部１５と、無線ＬＡＮ接続のための無線送信信号を送信しかつ無線受信信号を受信する無線ＬＡＮインタフェース１６と、アンテナ１７と、電界強度測定部１８とを備えて構成される。ＲＯＭ１５３にはアクセスポイント装置間無線通信の接続処理に関するプログラムとプログラムの実行に必要なデータが格納されている。ここで、無線ＬＡＮインタフェース１６は、無線ＬＡＮ用無線送信回路（無線送信部又は無線送信手段）及び無線ＬＡＮ用無線受信回路（無線受信部又は無線受信手段）を備えて構成される。アクセスポイント装置１０から送信される送信信号は無線ＬＡＮインタフェース１６、アンテナ１７を介して電波３に重畳されて放射される。電波３に重畳されてアクセスポイント装置１０により受信される受信信号はアンテナ１７、無線ＬＡＮインタフェース１６を介してネットワーク制御部１５に入力される。上記受信信号は無線ＬＡＮインタフェース１６から電界強度測定部１８に入力され、受信信号の電界強度の値をネットワーク制御部１５へ出力する。
【００１８】
各アクセスポイント装置１０１，１０２，１０３のＲＯＭ１５３には、ＭＡＣアドレス及び対応可能な暗号化方式が格納されている。ここでは、ＭＡＣアドレスを次の通りとする。アクセスポイント装置１０１のＭＡＣアドレスは「１２３４５６１１１１１ａ」、アクセスポイント装置１０２のＭＡＣアドレスは「１２３４５６２２２２２ｂ」、アクセスポイント装置１０３のＭＡＣアドレスは「１２３４５６３３３３３ｃ」、アクセスポイント装置１０４のＭＡＣアドレスは「１２３４５６４４４４４ｄ」である。また、対応可能な暗号化方式を次の通りとする。アクセスポイント装置１０１の対応可能な暗号化方式は「ＷＥＰ」、アクセスポイント装置１０２の対応可能な暗号化方式は「ＷＥＰ、ＴＫＩＰ、ＡＥＳ」、アクセスポイント装置１０３の対応可能な暗号化方式は「ＷＥＰ、ＴＫＩＰ、ＡＥＳ」、アクセスポイント装置１０４の対応可能な暗号化方式は「ＷＥＰ、ＴＫＩＰ、ＡＥＳ」である。
【００１９】
さらに、本実施の形態に係るアクセスポイント装置１０１、１０２及び１０３のＲＯＭ１５３にはネットワーク識別情報が格納されている。ここでは、そのネットワーク識別情報を「ＡＢＣＤ」とする。
【００２０】
図３は図１のアクセスポイント装置１０１，１０２，１０３間の無線通信接続処理を示すフローチャートである。図３において、最初に、各アクセスポイント装置はＳＳＩＤ生成処理を行う（ステップＳ１１）。
【００２１】
図４は図３のサブルーチンであるＳＳＩＤ生成処理（ステップＳ１１）を示すフローチャートである。図４のステップＳ３１において、自己のアクセスポイント装置に固有の識別情報を生成する。すなわち、アクセスポイント装置に関連した情報を基にアクセスポイント装置識別情報を生成する。関連情報として自己のＭＡＣアドレス、製造番号などのコードを使用する。生成される識別情報は基のコードと同一であってもよいし、基のコードの一部分であってもよい。また、基のコードを入力として乱数を発生させ、その乱数の値又はその一部分のコードであってもよい。ここでは、ＭＡＣアドレスのコードの下位４桁のコードをアクセスポイント装置識別情報とする。例えば、アクセスポイント装置１０１の識別情報は「１１１ａ」である。
【００２２】
次いで、図４のステップＳ３２において、ネットワーク識別情報とアクセスポイント装置識別情報を結合させる。ステップＳ３３において、パリティを付加してＳＳＩＤのコードを生成する。例えば、アクセスポイント装置１０１のパリティは「ＦＥ」である。ここで、各アクセスポイント装置１０１，１０２，１０３のＳＳＩＤは次のようになる。アクセスポイント装置１０１のＳＳＩＤは「ＡＢＣＤ１１１ａＦＥ」、アクセスポイント装置１０２のＳＳＩＤは「ＡＢＣＤ２２２ｂ０２」、アクセスポイント装置１０３のＳＳＩＤは「ＡＢＣＤ３３３ｃ０６」である。
【００２３】
以下、アクセスポイント装置１０１がプローブ要求を行ってからアクセスポイント装置間無線通信の接続が確立するまでについて説明する。
【００２４】
図３のステップＳ１２において、要求側アクセスポイント装置１０１は図５に示すプローブ要求フレームを送信する。図５はＩＥＥＥ８０２．１１のプローブ要求のＭＡＣフレームの構成を示す構成図である。図５に示すように、ＭＡＣフレームはＭＡＣヘッダ１１１、ペイロード１１２及びＦＣＳ（Ｆｒａｍｅ  Ｃｈｅｃｋ  Ｓｅｑｕｅｎｃｅ）１１３から構成される。ＭＡＣヘッダ１１１は宛先アドレスフィールド１１４、送信元アドレスフィールド１１５及びＢＳＳ（Ｂａｓｉｃ  Ｓｅｒｖｉｃｅ  Ｓｅｔ）ＩＤフィールド１１６から構成される。送信元アドレスフィールド１１５には送信元のアクセスポイント装置のＭＡＣアドレス「１２３４５６１１１１１ａ」が格納される。また、ペイロード１１２のＳＳＩＤフィールド１１７には「Ｎｕｌｌ」が格納される。
【００２５】
当該プローブ要求のＭＡＣフレームの信号を応答側アクセスポイント装置１０２が受信すると（ステップＳ２２）、アクセスポイント装置１０２は応答側の処理を行う。このとき、アクセスポイント装置１０２は図４のＳＳＩＤ生成処理によりすでに前記のＳＳＩＤが生成されているものとする。ステップＳ２２において、アクセスポイント装置１０２は受信信号から送信元のＭＡＣアドレス「１２３４５６１１１１１ａ」を検出する。
【００２６】
図３のステップＳ２３において、アクセスポイント装置１０２は図６に示すプローブ応答フレームを送信する。図６は、無線ＬＡＮシステムにおいて無線通信接続を確立するためにアクセスポイント装置間で通信されるＩＥＥＥ８０２．１１に準拠したプローブ応答のＭＡＣフレームの構成を示す構成図である。図６において、宛先アドレスフィールド１１４は「１２３４５６１１１１１ａ」、送信元アドレスフィールド１１５は「１２３４５６２２２２２ｂ」、ＢＳＳＩＤフィールド１１６は「１２３４５６２２２２２ｂ」、ＳＳＩＤフィールド１１７は「ＡＢＣＤ２２２ｂ０２」である。ペイロード１１２のＲＳＮ（Ｒｏｂｕｓｔ  Ｓｅｃｕｒｉｔｙ  Ｎｅｔｗｏｒｋ）フィールド１１８にはアクセスポイント装置１０２が対応可能な最強の暗号化方式として「ＡＥＳ」の情報が格納されている。
【００２７】
図３のステップＳ１３において、アクセスポイント装置１０１はこのプローブ応答フレームを受信し、受信信号から送信元のＭＡＣアドレス「１２３４５６２２２２２ｂ」、ＳＳＩＤ「ＡＢＣＤ２２２ｂ０２」及び対応可能な暗号化方式「ＡＥＳ」を検出する。
【００２８】
図７Ａは図１のアクセスポイント装置１０１のＳＳＩＤリスト３１の一例を示す表であり、図７Ｂは図１のアクセスポイント装置１０２のＳＳＩＤリスト３１の一例を示す表であり、図７Ｃは図１のアクセスポイント装置１０３のＳＳＩＤリスト３１の一例を示す表である。なお、ＳＳＩＤリスト３１は、各アクセスポイント装置１０１，１０２，１０３のＲＡＭ１５２に格納される。
【００２９】
要求側アクセスポイント装置１０１は、図３のステップＳ１３において検出された情報をＳＳＩＤリスト３１に登録する。図７Ａ、図７Ｂ及び図７Ｃに示すように、ＳＳＩＤ毎にＭＡＣアドレス、暗号化方式が登録される。また、電界強度測定部１８が測定した受信電波の電界強度もＳＳＩＤリスト３１に登録される。アクセスポイント装置１０１のＳＳＩＤリスト３１を示す図７Ａにおいて、アクセスポイント装置１０２からの信号を受信した際の電界強度が「−６５ｄＢ」であったことを示している。また、図７Ａには、アクセスポイント装置１０３及びアクセスポイント装置１０４からの信号を受信した場合も示している。アクセスポイント装置１０３のＳＳＩＤは前記の「ＡＢＣＤ３３３ｃ０６」であり、従来技術に係るアクセスポイント装置１０４のＳＳＩＤは「１２３４５６７８９」とした。ＳＳＩＤリスト３１に登録される受信信号は電界強度の強い順番でソートされて登録される。
【００３０】
要求側アクセスポイント装置１０１は、図３のステップＳ１４において、アクセスポイント装置１０１は検出されたＳＳＩＤに含まれているネットワーク識別情報と格納されているネットワーク識別情報とが一致するか否かを照合する。これら２つのネットワーク識別情報が一致すると、ＳＳＩＤコードのパリティチェックを行う。例えば、図７ＡのＳＳＩＤが「ＡＢＣＤ２２２ｂ０２」及び「ＡＢＣＤ３３３ｃ０６」のアクセスポイント装置について、ネットワーク識別情報が一致し、パリティチェックＯＫとなる。一方、ＳＳＩＤが「１２３４５６７８９」のアクセスポイント装置はネットワーク識別情報が一致しない。パリティチェックＯＫのアクセスポイント装置については接続処理を続け、次のステップＳ１５に進む。
【００３１】
ステップＳ１５において、アクセスポイント装置１０１はアクセスポイント装置１０２との無線通信における暗号化方式を自動的に選択する。暗号化方式は、両方のアクセスポイント装置が対応可能な暗号化方式の中から最高のセキュリティレベルの方式が選択される。アクセスポイント装置１０１はＷＥＰに対応可能であり、アクセスポイント装置１０２はＷＥＰ、ＴＫＩＰ及びＡＥＳに対応可能であるので、両方共が対応可能な「ＷＥＰ」が自動的に選択される。
【００３２】
ステップＳ１６において、アクセスポイント装置１０１はアクセスポイント装置１０２との通信における暗号鍵を生成する。暗号鍵は両方のＳＳＩＤのコードを基に所定の暗号鍵生成アルゴリズムにより生成される。例えば、暗号鍵生成アルゴリズムは両方のアクセスポイント装置識別情報を入力として乱数を発生させて生成する。ここでは、「１１１ａ」と「２２２ｂ」を入力にして乱数「Ａ１ｚ５ｂ９Ｙ２Ｃ７ｘ０ｄ」が発生するものとした。
【００３３】
図８Ａは図１のアクセスポイント装置１０１に格納されたアクセスポイント装置間無線通信リスト３２の一例を示す表であり、図８Ｂは図１のアクセスポイント装置１０２に格納されたアクセスポイント装置間無線通信リスト３２の一例を示す表であり、図８Ｃは図１のアクセスポイント装置１０３に格納されたアクセスポイント装置間無線通信リスト３２の一例を示す表である。なお、無線通信リスト３２は各アクセスポイント装置１０１，１０２，１０３のＲＡＭ１５２に格納される。図８Ａ、図８Ｂ及び図８Ｃに示すように、通信相手毎にＭＡＣアドレス、暗号化方式及び暗号鍵が登録されている。ステップＳ１７において、アクセスポイント装置１０１は、このアクセスポイント装置間無線通信リスト３２に基づき、当該無線通信リスト３２に記載された暗号化方式及び暗号化鍵を用いて、アクセスポイント装置１０２との無線通信接続を確立させる。
【００３４】
以上説明したように、本実施形態によれば、アクセスポイント装置１０１がプローブ要求を行ってから無線通信接続を確立するまでについて説明した。アクセスポイント装置１０２及び１０３がプローブ要求を行ってから接続確立するまでの処理も同様である。図８Ａ、図８Ｂ及び図８Ｃに示すように、アクセスポイント装置間無線通信のペアは同じ暗号化方式となり、同じ暗号鍵が生成される。
【００３５】
アクセスポイント装置に接続できるアクセスポイント装置の台数が制限されている場合は、ＳＳＩＤリスト３１に登録されたアクセスポイント装置のうち電界強度の強いものから順番に登録可能数のアクセスポイント装置を選択し、アクセスポイント装置間無線通信リスト３２に登録する。
【００３６】
図９は実施の形態１及び２に係る無線端末装置２の構成を示すブロック図である。図９を参照して無線端末装置２の無線接続処理について説明する。
【００３７】
図９において、無線端末装置２は、ＣＰＵ２５１と、ＲＡＭ２５２と、ＨＤＤ（Ｈａｒｄ  Ｄｉｓｋ  Ｄｒｉｖｅ）２５３と、ディスプレイ２５４と、キーボードやマウス等の入力装置２５５と、無線ＬＡＮインタフェース２６と、アンテナ２７と、電界強度測定部２８とを備えて構成される。ここで、無線ＬＡＮインタフェース２６は、無線ＬＡＮインタフェース１６と同様に構成され、無線ＬＡＮ用無線送信回路（無線送信部又は無線送信手段）及び無線ＬＡＮ用無線受信回路（無線受信部又は無線受信手段）を備えて構成される。
【００３８】
ＨＤＤ２５３には、無線端末装置２とアクセスポイント装置１０とを無線ＬＡＮで接続するための無線設定及び通信ソフトウェアであるプログラムがインストールされている。このプログラムにはネットワーク識別情報としてコード「ＡＢＣＤ」が記述されている。このプログラムは無線端末装置２の起動時にＲＡＭ２５２にロードされて実行される。送信信号は無線ＬＡＮインタフェース２６、アンテナ２７を介して電波３に重畳されて放射される。電波３に重畳された受信信号はアンテナ２７、無線ＬＡＮインタフェース２６を介してＲＡＭ２５２に入力される。無線ＬＡＮインタフェース２６から受信信号が電界強度測定部２８に入力され、受信信号の電界強度の値をＲＡＭ２５２へ出力される。
【００３９】
図１０は図９の無線端末装置２により実行される無線通信接続処理を示すフローチャートである。図１０のステップＳ４１において、無線端末装置２はプローブ要求フレームを送信する。当該プローブ要求フレームの信号を受信したアクセスポイント装置はプローブ応答フレームの信号を送信する。次いで、ステップＳ４２において、無線端末装置２はプローブ応答フレームの信号を受信し、受信信号から送信元のＭＡＣアドレス、ＳＳＩＤ及び暗号化方式を検出する。
【００４０】
無線端末装置２は、図１０のステップＳ４２において検出された情報をＳＳＩＤリスト３１に登録する。図１１は図９の無線端末装置２のＳＳＩＤリスト３１の一例を示す表である。図１１に示すように、ＳＳＩＤリスト３１にはＳＳＩＤ毎にＭＡＣアドレス、暗号化方式が登録される。また、電界強度測定部２８が測定した受信電波の電界強度も登録される。電界強度の強い順番に、アクセスポイント装置１０１、１０２、１０３及び１０４の情報が並ぶ。
【００４１】
図１０のステップＳ４３において、無線端末装置２は検出されたＳＳＩＤに含まれているネットワーク識別情報とプログラムに記述されているネットワーク識別情報とが一致するか否かを照合する。ネットワーク識別情報が一致すると、ＳＳＩＤコードのパリティチェックを行う。図１１のＳＳＩＤが「ＡＢＣＤ１１１ａＦＥ」、「ＡＢＣＤ２２２ｂ０２」及び「ＡＢＣＤ３３３ｃ０６」のアクセスポイント装置について、ネットワーク識別情報が一致し、パリティチェックＯＫとなる。一方、ＳＳＩＤが「１２３４５６７８９」のアクセスポイント装置はネットワーク識別情報が一致しない。パリティチェックＯＫのアクセスポイント装置については接続処理を続け、次のステップＳ４４に進む。
【００４２】
図１０のステップＳ４４において、無線端末装置２は暗号鍵を生成する。ここでは、暗号鍵はＳＳＩＤのコードをシードとして生成される乱数とする。図１２は図９の無線端末装置２のアクセスポイント装置リスト３３の一例を示す表である。図１２に示すように、アクセスポイント装置リスト３３には、ネットワーク識別情報が一致したアクセスポイント装置識別情報、ＳＳＩＤ、暗号化方式、暗号鍵及び電界強度が登録されている。無線端末装置２はアクセスポイント装置リスト３３から表示データを抽出し、ディスプレイ２５４にアクセスポイント装置の一覧を表示する。
【００４３】
図１０のステップＳ４５において、ユーザーは入力装置２５５を用いて、ディスプレイ２５４上に表示されたアクセスポイント装置の中から通信をするアクセスポイント装置を選択する。通信するアクセスポイント装置が複数の場合、無線端末装置２は電界強度が最も強いアクセスポイント装置を選択し、そのアクセスポイント装置をインフラストラクチャモードで接続する通信相手とする。
【００４４】
次いで、ステップＳ４６において、無線端末装置２はインフラストラクチャモードの通信相手のアクセスポイント装置との無線通信接続を確立させる。ここでは、無線端末装置２はアクセスポイント装置１０１とインフラストラクチャモードで接続される。アクセスポイント装置１０１はアクセスポイント装置１０２及び１０３と接続しているので、無線端末装置２はアクセスポイント装置１０１を介してアクセスポイント装置１０２及び１０３と通信することが可能になる。
【００４５】
以上説明したように、本実施の形態によれば、ＳＳＩＤの中にネットワーク識別情報とアクセスポイント装置識別情報を含むようにすることにより、ユーザーが接続設定を手入力で行うことなくアクセスポイント装置間無線通信の接続処理を行うこととなり、無線ＬＡＮアクセスポイント装置間の無線通信接続を従来技術に比較して容易に確立することができる。
【００４６】
（実施の形態２）
図１３は実施の形態２に係る無線ＬＡＮシステムの構成を示す斜視図である。本実施の形態に係る無線ＬＡＮシステムは、２つのプロジェクタ装置１ａ，１ｂと、無線端末装置２と、アクセスポイント装置６とを備えて構成される。ここで、プロジェクタ装置１ａ，１ｂは、詳細後述する光源１２、液晶パネル３及び投射レンズ１４を含み例えば無線受信された画像データの画像を拡大して投射する光学プロジェクタ部を備え、さらには、無線ＬＡＮのアクセスポイント装置機能を搭載している。プロジェクタ装置１ａ及び１ｂは互いに電波３ｂを送受信してアクセスポイント装置間無線通信を行う。無線端末装置２は例えばノート型パーソナルコンピュータであり、電波３ａを送受信してインフラストラクチャモードでプロジェクタ装置１ａと接続されている。プロジェクタ装置１ａ，１ｂはそれぞれ、無線端末装置２からプレゼンテーション資料などの情報を入手し、その画像をスクリーン４ａ及びスクリーン４ｂに投射する。プロジェクタ装置１ａ，１ｂはそれぞれ、操作部５により電源がオンオフされる。無線端末装置２はプロジェクタ装置１ａの近くに設置されている。また、アクセスポイント装置６は従来技術に係るアクセスポイント装置である。
【００４７】
図１４は図１３の無線ＬＡＮアクセスポイント装置を搭載したプロジェクタ装置１ａ，１ｂ（総称して符号１を付す。）の構成を示すブロック図である。図１４において、プロジェクタ装置１は、プロジェクタ装置１に関する制御を行うメイン制御部１１と、光源１２と、画像を表示する液晶パネル１３と、光源１２の光が液晶パネル１３で変調された画像を拡大して投射する投射レンズ１４と、無線ＬＡＮに関する制御を行うネットワーク制御部１５と、無線信号を送信し受信する無線ＬＡＮインタフェース１６と、アンテナ１７と、電界強度測定部１８とを備えて構成される。ここで、ネットワーク制御部１５は、図２に示すＣＰＵ１５１と、ＲＡＭ１５２と、ＲＯＭ１５３などとを備えて構成される。また、ネットワーク制御部１５は、所定のネットワーク識別情報と他のプロジェクタ装置とを識別するためのプロジェクタ装置識別情報を格納する情報格納部１５ａと、受信信号から前記所定のネットワーク識別情報を検出するネットワーク識別情報検出部１５ｂと、アクセスポイント装置間無線通信に必要な設定を行うネットワーク接続部１５ｃと、画像生成部１５ｄとを備えて構成される。ここで、画像生成部１５ｄは、無線ＬＡＮインタフェース１６、アンテナ１７を経由して無線端末装置２から受け取ったＴＣＰ／ＩＰデータから画像を生成する。
【００４８】
無線端末装置２は、図９と同様の構成を有する。無線端末装置２は、核である制御手段であるＣＰＵ２５１と、主記憶メモリであるＲＡＭ２５２と、ＨＤＤ２５３と、表示手段であるディスプレイ２５４と、キーボードやマウス等の入力装置２５５と、無線ＬＡＮインタフェース２６と、アンテナ２７と、電界強度測定部２８とを備えて構成される。
【００４９】
ここで、ＨＤＤ２５３には、プロジェクタ装置１と無線端末装置２とを無線ＬＡＮを介して接続するための無線設定及び通信ソフトウェアであるプログラム（ワイヤレスマネージャ（ＷＭ）という。）が予めインストールされている。このソフトウェアは後からインストールすることも可能である。このプログラムにはネットワーク識別情報が格納されている。無線端末装置２を起動すると、このプログラムはＲＡＭ２５２にロードされ、実行される。プログラムが実行され、プロジェクタ装置１に接続すると画像データが生成され、その画像データはＴＣＰ／ＩＰデータとして無線ＬＡＮインタフェース２６を介してプロジェクタ装置１に無線伝送される。
【００５０】
まず、プロジェクタ装置１ａ，１ｂ同士の無線通信について説明する。プロジェクタ装置１ａ，１ｂ及びアクセスポイント装置６にはＭＡＣアドレス及び対応可能な暗号化方式が格納されている。ここでは、ＭＡＣアドレスを次の通りとする。プロジェクタ装置１ａのＭＡＣアドレスは「１２３４５６１１１１１ａ」、プロジェクタ装置１ｂのＭＡＣアドレスは「１２３４５６２２２２２ｂ」、アクセスポイント装置６のＭＡＣアドレスは「１２３４５６４４４４４ｄ」である。また、対応可能な暗号化方式を次の通りとする。プロジェクタ装置１ａの対応可能な暗号化方式は「ＷＥＰ」、プロジェクタ装置１ｂの対応可能な暗号化方式は「ＷＥＰ、ＴＫＩＰ、ＡＥＳ」、アクセスポイント装置６の対応可能な暗号化方式は「ＷＥＰ、ＴＫＩＰ、ＡＥＳ」である。さらに、プロジェクタ装置１ａ及び１ｂにはネットワーク識別情報が格納されている。ここでは、そのネットワーク識別情報を「ＡＢＣＤ」とする。
【００５１】
図１５は図１４のプロジェクタ装置１により実行されるアクセスポイント装置間の無線通信接続処理を示すフローチャートである。ここで、図１５はプロジェクタ装置１ａと１ｂが接続するまでの処理を示し、プローブ要求側プロジェクタ装置１の無線通信接続処理を示している。
【００５２】
図１５において、操作部５によりプロジェクタ装置１ａとプロジェクタ装置１ｂの電源がオンされると、ステップＳ５１においてメイン制御部１１が起動され、ステップＳ５２においてメイン制御部１１からネットワーク制御部１５が起動される。ステップＳ５３において、ネットワーク制御部１５はＲＯＭからＯＳ（Ｏｐｅｒａｔｉｎｇ  Ｓｙｓｔｅｍ）をＲＡＭにロードし、ステップＳ５４においてＯＳが起動される。ステップＳ５５において、ＯＳはＲＯＭからＲＡＭにユーザープログラムをロードし、ステップＳ５６において、ＯＳによりユーザープログラムが実行される。
【００５３】
次いで、ステップＳ５７において、ＯＳにより実行されたユーザープログラムがＳＳＩＤ生成処理を実行する。このＳＳＩＤ生成処理は前述の図４に示す処理と同じであるので、説明を省略する。生成されたＳＳＩＤは次のようになる。プロジェクタ装置１ａのＳＳＩＤは「ＡＢＣＤ１１１ａＦＥ」、プロジェクタ装置１ｂのＳＳＩＤは「ＡＢＣＤ２２２ｂ０２」。ここで、「ＡＢＣＤ」は共通のネットワーク識別情報であり、「１１１ａ」及び「２２２ｂ」はそれぞれプロジェクタ装置１ａ及び１ｂの識別情報である。「ＦＥ」及び「０２」はパリティである。
【００５４】
次いで、ステップＳ５８において、プローブ要求側プロジェクタ装置１は無線送受信を行い、プロジェクタ装置１の検索を行う。無線送受信は、ネットワーク接続部１５ｃ、無線ＬＡＮインタフェース１６、アンテナ１７及び電波３を介して行う。プロジェクタ装置１ａとプロジェクタ装置１ｂはすべてのチャンネル（例えば、ｃｈ１〜ｃｈ１１）にプローブ要求フレームを送信し、その応答であるプローブ応答フレームを受信することでスキャン処理を行い、ＳＳＩＤリストを作成して登録する。プローブ要求フレーム及びプローブ応答フレームはそれぞれ前述の図５及び図６と同じであるので、説明を省略する。
【００５５】
図１６Ａは図１４のプロジェクタ装置１ａのＳＳＩＤリストの一例を示す表であり、図１６Ｂは図１４のプロジェクタ装置１ｂのＳＳＩＤリストの一例を示す表である。図１６Ａ及び図１６Ｂに示すように、検索されたＳＳＩＤ、ＭＡＣアドレス、暗号化方式及び電界強度から構成され、電界強度の大きい順番に並べられる。ここで、ＳＳＩＤ、ＭＡＣアドレス、暗号化方式はプローブ応答フレームから得られ、電界強度は電界強度測定部１８が、プローブ応答フレームを含む無線信号の電波の電界強度を測定することによって得られる。図１６Ａから明らかなように、プロジェクタ装置１ｂとアクセスポイント装置６からのプローブ応答フレームを含む無線信号を受信している。また、図１６Ｂから明らかなように、プロジェクタ装置１ａとアクセスポイント装置６からのプローブ応答フレームを含む無線信号を受信している。
【００５６】
次いで、図１５のステップＳ５９において、ステップＳ５８で作成したＳＳＩＤリストに従って、ネットワーク識別情報を持つ所望のプロジェクタ装置の探索を開始する。
【００５７】
図１５のステップＳ６０において、ＳＳＩＤリストにチェックすべきＳＳＩＤデータが存在するか否かを判定する。もし、チェックすべきＳＳＩＤデータが存在すると（「Ｙｅｓ」の場合）、次にステップＳ６１において、ネットワーク識別情報検出部１５ｂがＳＳＩＤリストの上位から未チェックのリストを抽出し、ステップＳ６２において、ＳＳＩＤにネットワーク識別情報「ＡＢＣＤ」を含んでいるか否かを判定する。もし、ネットワーク識別情報「ＡＢＣＤ」を含んでいると（「Ｙｅｓ」の場合）、次にステップＳ６３において、ＳＳＩＤからチェックサムを算出し、パリティを判定する。もし、パリティチェックＯＫであれば（「Ｙｅｓ」の場合）、次にステップＳ６４において、ＭＡＣアドレスがアクセスポイント装置間無線通信リストに登録済か否かを判定する。アクセスポイント装置間無線通信リストは図１７Ａ及び図１７Ｂに示すように、アクセスポイント装置間無線通信を行うプロジェクタ装置１のＭＡＣアドレス、暗号化方式、暗号鍵から構成される。
【００５８】
ステップＳ６４において、もし、ＭＡＣアドレスが登録されていなければ（「Ｙｅｓ」の場合）、次にステップＳ６５において、自身の暗号化方式との比較を行い、ステップＳ６６において、両方のプロジェクタ装置１でサポートされる暗号化方式に決定する。例えば、暗号化方式の低い方に合わせることで、両方のプロジェクタ装置１でサポートされる暗号化方式をとることが可能である。次にステップＳ６７において、両方のプロジェクタ装置１のプロジェクタ装置識別情報又はＳＳＩＤ文字列を組み合わせた文字列をシードとして生成される乱数を暗号鍵として設定する。次にステップＳ６８において、アクセスポイント装置間無線通信リストにＭＡＣアドレス、暗号化方式（セキュリティ）、暗号鍵を登録し、ステップＳ６０に戻る。
【００５９】
図１７Ａは図１４のプロジェクタ装置１ａのアクセスポイント装置間無線通信リスト３２の一例を示す表であり、図１７Ｂは図１４のプロジェクタ装置１ｂのアクセスポイント装置間無線通信リスト３２の一例を示す表である。図１７Ａ及び図１７Ｂに示すように、通信相手毎にＭＡＣアドレス、暗号化方式及び暗号鍵が登録されている。図１７Ａの無線通信リスト３２において、プロジェクタ装置１ｂが登録されている。また、図１７Ｂの無線通信リスト３２において、プロジェクタ装置１ａが登録されている。
【００６０】
これにより、プロジェクタ装置１ａとプロジェクタ装置１ｂは、無線通信を行うことが可能となる。また、ステップＳ５８からステップＳ６８までを繰り返すことにより、その後から別のプロジェクタ装置が起動したとしても、無線通信を行うことが可能となる。すなわち、図１５において、ステップＳ６０でＮＯのときは、ステップＳ５８に戻り、ステップＳ５８及びＳ５９の処理を繰り返し、ステップＳ６２、Ｓ６３及びＳ６４でＮＯであれば、ステップＳ６０に戻り、その後の処理を繰り返す。
【００６１】
図１８は図１３の無線端末装置２により実行される無線通信接続処理を示すフローチャートである。図１８を用いて、無線端末装置２からプロジェクタ装置１ａとプロジェクタ装置１ｂに接続し同じ画像を表示させるまでの動作を説明する。
【００６２】
図１８の無線通信接続処理において、無線端末装置２の電源をオンすると、ステップＳ７１において、ＯＳが起動される。次にステップＳ７２においてワイヤレスマネージャのプログラムを実行すると、プログラムがＨＤＤ２５３からＲＡＭ２５２にロードされ、ワイヤレスマネージャが起動して、検索動作が開始される。すなわち、無線ＬＡＮインタフェース２６及びアンテナ２７を介して、電波３を放射して、プロジェクタ装置１の検索を開始する。まず、ステップＳ７３において、ワイヤレスマネージャはすべてのチャンネル（例えば、ｃｈ１〜ｃｈ１１）にプローブ要求フレームを送信し、その応答であるプローブ応答フレームを受信することでスキャン処理を行い、ＳＳＩＤリストを作成して登録する。
【００６３】
図１９は図１３の無線端末装置２のＳＳＩＤリスト３１の一例を示す表である。ここで、ＳＳＩＤリスト３１は、検索されたＳＳＩＤ、ＭＡＣアドレス、暗号化方式、電界強度から構成され、電界強度の大きい順番に並べられる。ここで、ＳＳＩＤ、ＭＡＣアドレス、暗号化方式はプローブ応答フレームから得られ、電界強度は電界強度測定部２８が、プローブ応答フレームを含む無線信号の電波の電界強度を測定することによって得られる。電界強度の強い順番に、プロジェクタ装置１ａ、プロジェクタ装置１ｂ、アクセスポイント装置６の情報が並置される。
【００６４】
次いで、図１８のステップＳ７４において、ステップＳ７３で作成したＳＳＩＤリストに従って、ネットワーク識別情報「ＡＢＣＤ」を持つ所望の無線プロジェクタ装置の探索を行い、規定のネットワーク識別情報「ＡＢＣＤ」を含むＳＳＩＤが検出された場合には、ＳＳＩＤ文字列からチェックサムを算出しパリティチェックを行うことで、プロジェクタ装置リスト３４を作成して登録する。プロジェクタ装置リスト３４は図２０に示すように、プロジェクタ装置識別情報、ＳＳＩＤ、暗号化方式、暗号鍵、電界強度から構成され、電界強度の大きい順番に並べられる。
【００６５】
図２０は図１３の無線端末装置２のプロジェクタ装置リスト３４の一例を示す表である。ここで、ＳＳＩＤ、暗号化方式はプローブ応答フレームから得られる。また、プロジェクタ装置識別情報、暗号鍵情報はＳＳＩＤ文字列から得られる。
【００６６】
次いで、図１８のステップＳ７５において、ステップＳ７４で作成したプロジェクタ装置リスト３４に従って、ワイヤレスマネージャ上にプロジェクタ装置一覧を表示する。プロジェクタ装置一覧は図２１に示すように、プロジェクタ装置識別情報を用いて無線端末装置２のディスプレイ２５４に表示される。図２１は図１３の無線端末装置２のディスプレイ２５４に表示されるプロジェクタ装置選択画面の一例を示す正面図である。さらに、図１８のステップＳ７６において、ユーザーがステップＳ７５で表示したプロジェクタ装置一覧から接続する１つ又は複数のプロジェクタ装置を選択する。ステップＳ７７においては、無線ＬＡＮインタフェース２６に対して、ステップＳ７６で選択されたプロジェクタ装置のうち電界強度の強い方のプロジェクタ装置と同じＳＳＩＤ、暗号化方式、暗号鍵を設定する。ここで暗号鍵はＳＳＩＤの文字列をシードとして生成される乱数を設定する。
【００６７】
例えば、ユーザーがプロジェクタ装置１ａ（プロジェクタ装置識別情報は「１１１ａ」）とプロジェクタ装置１ｂ（プロジェクタ装置識別情報は「２２２ｂ」）の両方を選択すると、電界強度はプロジェクタ装置１ａの方が強いので、無線端末装置２はプロジェクタ装置１ａと同じＳＳＩＤ、暗号化方式を設定し、同じ暗号鍵を生成する。これにより、無線端末装置２はプロジェクタ装置１ａが形成する無線ＬＡＮに参加することとなり、無線端末装置２はプロジェクタ装置１ａと通信することが可能となる。また、プロジェクタ装置１ａはプロジェクタ装置１ｂと通信することが可能であることから、無線端末装置２はプロジェクタ装置１ａを介してプロジェクタ装置１ｂと通信を行うことが可能となる。ステップＳ７８において、ＩＰレベルでプロジェクタ装置と接続し、無線端末装置２はプロジェクタ装置１ａ及びプロジェクタ装置１ｂに対して画像データの送信を開始する。
【００６８】
以上説明したように、本実施の形態に係るプロジェクタ装置１は、プロジェクタ装置１がアクセスポイント装置１０として動作し、規定のネットワーク識別情報と個々のプロジェクタ装置毎に異なるプロジェクタ装置識別情報を組み合わせた文字列をＳＳＩＤとして無線端末装置と無線ＬＡＮを形成する。その際、暗号化方式はそのプロジェクタ装置１において最も強度の高い暗号化方式、暗号鍵はＳＳＩＤ文字列をシードとして生成される乱数を設定する。無線ＬＡＮの形成後、プロジェクタ装置１は、すべてのチャンネルでプローブ要求フレームの送信を行い、その応答であるプローブ応答フレームを受信することでプロジェクタ装置の通信範囲（電波の到達する範囲）に存在する他のプロジェクタ装置１のＳＳＩＤを検索し、ＳＳＩＤリストを作成して登録する。その際、プローブ応答フレームから取得可能である送信者のＭＡＣアドレス、暗号化方式と応答電波の強度から取得可能である送信者の電界強度をリストに加える。その後、そのＳＳＩＤリストから規定のネットワーク識別情報を含むＳＳＩＤを探索し、検出された場合にはパリティの判定を行う。この判定結果に基づいて、送信元のＭＡＣアドレスをアクセスポイント装置間無線通信リストに登録する。その際、暗号化方式に関しては、登録する側のプロジェクタ装置１と登録される側のプロジェクタ装置１の暗号化方式の暗号強度を比較し低い方を登録する。また、暗号鍵に関しては、登録する側のプロジェクタ装置１のＳＳＩＤ文字列と登録される側のプロジェクタ装置１のＳＳＩＤ文字列との組み合わせの文字列をシードとして生成される乱数を登録する。これにより、アクセスポイント装置１０として動作するプロジェクタ装置１同士で接続することが可能となる。
【００６９】
このように、本実施の形態に係るプロジェクタ装置１によれば、プロジェクタ装置１のＳＳＩＤ文字列に規定のネットワーク識別情報を含めることにより、スキャンにより作成されるＳＳＩＤリストから所望のプロジェクタ装置１を検出し、通信相手のＭＡＣアドレスなどの情報を取得することが可能であるため、アクセスポイント装置間無線通信に必要な設定を手入力で行うことなく、アクセスポイント装置１０として動作するプロジェクタ装置１同士を接続することができる。
【００７０】
なお、実施の形態２において、アクセスポイント装置間無線通信を行うプロジェクタ装置１の数は２台の場合について説明したが、プロジェクタ装置１の数が３台の場合は実施の形態１の場合と同様である。また、４台以上のプロジェクタ装置１を設けてもよい。すなわち、アクセスポイント装置間無線通信を行うペア毎に暗号化方式を選択し、暗号鍵を生成するので、無線ＬＡＮを形成しているところに、後からプロジェクタ装置１を追加すると、追加されたプロジェクタ装置１と既設の各プロジェクタ装置１との間でそれぞれ前述の接続処理が行われる。このように、接続設定を手入力で行わなくても、無線ＬＡＮを拡大させることができる。
【００７１】
以上の各実施の形態において、アクセスポイント装置１０（１０１，１０２，１０３）と、無線端末装置２と、プロジェクタ装置１（１ａ，１ｂ）において、
（Ａ）プローブ要求フレームを送信し、プローブ応答フレームを受信する要求側装置と、
（Ｂ）プローブ要求フレームを受信し、プローブ応答フレームを送信する応答側装置と、
を１つの装置で構成しているが、要求側装置と応答側装置とを分けて構成してもよい。
【００７２】
また、以上の各実施の形態において、複数のアクセスポイント装置１０１，１０２，１０３を備えて無線ＬＡＮを構成しているが、例えば、複数のアクセスポイント装置１０１，１０２，１０３などの複数個の無線通信装置を備えて無線通信システムを構成してもよい。
【産業上の利用可能性】
【００７３】
本開示は、無線ＬＡＮに接続された無線端末装置がアクセスポイント装置として動作する複数のプロジェクタ装置と通信を行う場合に有用である。
【符号の説明】
【００７４】
１，１ａ，１ｂ…プロジェクタ装置、
２…無線端末装置（ノート型パーソナルコンピュータ）、
３，３ａ，３ｂ…電波、
４ａ，４ｂ…スクリーン、
５…操作部、
６，１０，１０１，１０２，１０３，１０４…アクセスポイント装置、
１１…メイン制御部、
１２…光源、
１３…液晶パネル、
１４…投射レンズ
１５…ネットワーク制御部、
１５ａ…情報格納部、
１５ｂ…ネットワーク識別情報検出部、
１５ｃ…ネットワーク接続部、
１５ｄ…画像生成部、
１６，２６…無線ＬＡＮインタフェース、
１７，２７…アンテナ、
１８，２８…電界強度測定部、
３１…ＳＳＩＤリスト、
３２…アクセスポイント装置間無線通信リスト、
３３…アクセスポイント装置リスト、
３４…プロジェクタ装置リスト、
１５１，２５１…ＣＰＵ、
１５２，２５２…ＲＡＭ、
１５３…ＲＯＭ、
２５３…ＨＤＤ、
２５４…ディスプレイ、
２５５…入力装置。
【図１】
2013066175.tif 000003
【図２】
2013066175.tif 000004
【図３】
2013066175.tif 000005
【図４】
2013066175.tif 000006
【図５】
2013066175.tif 000007
【図６】
2013066175.tif 000008
【図７Ａ】
2013066175.tif 000009
【図７Ｂ】
2013066175.tif 000010
【図７Ｃ】
2013066175.tif 000011
【図８Ａ】
2013066175.tif 000012
【図８Ｂ】
2013066175.tif 000013
【図８Ｃ】
2013066175.tif 000014
【図９】
2013066175.tif 000015
【図１０】
2013066175.tif 000016
【図１１】
2013066175.tif 000017
【図１２】
2013066175.tif 000018
【図１３】
2013066175.tif 000019
【図１４】
2013066175.tif 000020
【図１５】
2013066175.tif 000021
【図１６Ａ】
2013066175.tif 000022
【図１６Ｂ】
2013066175.tif 000023
【図１７Ａ】
2013066175.tif 000024
【図１７Ｂ】
2013066175.tif 000025
【図１８】
2013066175.tif 000026
【図１９】
2013066175.tif 000027
【図２０】
2013066175.tif 000028
【図２１】
2013066175.tif 000029
【図２２】
2013066175.tif 000030